(57)【要約】【課題】  従来の撮像装置で撮影した映像を広いダイナミックレンジが表現可能な出力機器で出力した場合、撮影された映像が実際の被写体に対して現実的ではない明るさで出力されてしまうという課題があった。【解決手段】  被写体を撮像して得られた画像信号の入力を受け、前記画像信号を信号変換して表示機器に出力する画像処理装置であって、前記画像信号から取得された前記被写体の輝度値と、前記撮像時の露出パラメータから、前記被写体の絶対輝度値を算出する算出手段と、前記表示機器に前記被写体が絶対輝度値で表示されるように、前記表示機器の入出力特性に応じて、前記被写体の輝度値に所定の絶対輝度コードを決定する決定手段と、前記被写体の輝度値と前記絶対輝度コードの対応関係に基づいて前記画像信号を信号変換する変換手段と、を有することを特徴とする。【選択図】  図２
2018056701.tif 000002
【特許請求の範囲】
【請求項１】
被写体を撮像して得られた画像信号の入力を受け、前記画像信号を信号変換して表示機器に出力する画像処理装置であって、
前記画像信号から取得された前記被写体の輝度値と、前記撮像時の露出パラメータから、前記被写体の絶対輝度値を算出する算出手段と、
前記表示機器に前記被写体が絶対輝度値で表示されるように、前記表示機器の入出力特性に応じて、前記被写体の輝度値に所定の絶対輝度コードを決定する決定手段と、
前記被写体の輝度値と前記絶対輝度コードの対応関係に基づいて前記画像信号を信号変換する変換手段と、を有することを特徴とする画像処理装置。
【請求項２】
前記変換手段から出力された画像信号に対してガンマ補正を行うガンマ補正手段を備え、
前記決定手段は、前記ガンマ補正後の画像信号において、前記被写体の輝度値に前記所定の絶対輝度コードを決定することを特徴とする請求項１に記載の画像処理装置。
【請求項３】
前記露出パラメータは、撮像時の絞り値、ＩＳＯ感度、シャッター速度、ＮＤ値の少なくとも１つを含むことを特徴とする請求項１または請求項２に記載の画像処理装置。
【請求項４】
前記表示機器に前記被写体が絶対輝度値で表示されるように画像信号を出力する第１モードと、前記表示機器に前記被写体が相対輝度値で表示されるように画像信号を出力する第２モードが選択可能であり、前記第１モードが選択された場合に、前記変換手段による信号変換後の画像信号を出力することを特徴とする請求項１から請求項３の何れか１つに記載の画像処理装置。
【請求項５】
請求項１から請求項４の何れか１つに記載の画像処理装置と、
被写体を撮像して前記画像信号を前記画像処理装置に入力する撮像手段と、を有することを特徴とする撮像装置。
【請求項６】
被写体を撮像して得られた画像信号の入力を受け、前記画像信号を信号変換して表示機器に出力する画像処理方法であって、
前記画像信号から取得された前記被写体の輝度値と、前記撮像時の露出パラメータから、前記被写体の絶対輝度値を算出する算出ステップと、
前記表示機器に前記被写体が絶対輝度値で表示されるように、前記表示機器の入出力特性に応じて、前記被写体の輝度値に所定の絶対輝度コードを決定する決定ステップと、
前記被写体の輝度値と前記絶対輝度コードの対応関係に基づいて前記画像信号を信号変換する変換ステップと、を有することを特徴とする画像処理方法。
【発明の詳細な説明】
【技術分野】
【０００１】
本発明は、被写体の絶対輝度で映像表示を行うための信号処理に関する。
【背景技術】
【０００２】
従来、テレビやディスプレイといった表示機器の出力のダイナミックレンジが実際の被写体に比べてかなり狭く、限られたダイナミックレンジでしか被写体を映像表示することが出来なかった。そのため、撮像装置で被写体を撮影した際に、広いダイナミックレンジの映像信号を表示機器の出力のダイナミックレンジに押し込むように、ダイナミックレンジを圧縮する処理が必要となっていた。そのような処理を行った場合、実際の見た目とは異なった状態で表示機器に映像表示されることとなり、臨場感が失われてしまっていた。
【０００３】
たとえば、メインの被写体となる顔を表示機器の出力の７０％程度の明るさとなるように映像信号のダイナミックレンジを圧縮する処理をした場合、顔は見やすい明るさで表示される。しかし、映像の明るさが実際の明るさとは異なるために臨場感が失われ、さらに顔より明るい被写体は階調が大きく圧縮されて失われた映像となってしまっていた。
【０００４】
近年は、表示機器の性能が向上し、より広いダイナミックレンジを表現することが可能となってきている。
【先行技術文献】
【特許文献】
【０００５】
【特許文献１】特開２００４−２８６９７９号公報
【発明の概要】
【発明が解決しようとする課題】
【０００６】
しかしながら、従来の撮像装置で撮影した映像を広いダイナミックレンジが表現可能な表示機器で表示した場合、撮影された映像が実際の被写体に対してありえない明るさで表示されてしまうことがある。このため、従来の撮像装置のような映像信号の処理とは異なる処理が必要となる。
【０００７】
たとえば、メインの被写体となる顔を表示機器の出力の７０％程度となるようにする処理をした場合、表示機器が１００００ｃｄ／ｍ２まで対応出来るとすると、顔の明るさが７０００ｃｄ／ｍ２で表示されてしまい、現実的ではない明るさになってしまう。
【０００８】
また、特許文献１に示されるように被写体の絶対輝度に応じて適した階調処理を行うことで、再現すべき階調についてケアすることが出来るが、それだけでは被写体を見たままの明るさで表示機器に表示することはできない。
【課題を解決するための手段】
【０００９】
上記課題を解決するために、本発明の実施態様は、被写体を撮像して得られた画像信号の入力を受け、前記画像信号を信号変換して表示機器に出力する画像処理装置であって、前記画像信号から取得された前記被写体の輝度値と、前記撮像時の露出パラメータから、前記被写体の絶対輝度値を算出する算出手段と、前記表示機器に前記被写体が絶対輝度値で表示されるように、前記表示機器の入出力特性に応じて、前記被写体の輝度値に所定の絶対輝度コードを決定する決定手段と、前記被写体の輝度値と前記絶対輝度コードの対応関係に基づいて前記画像信号を信号変換する変換手段と、を有する。
【発明の効果】
【００１０】
以上説明したように、本発明によれば、表示機器の入出力特性を考慮して画像信号を変換することによって、表示を被写体の絶対輝度にすることが可能となり、臨場感のある映像表示を実現することができる。
【図面の簡単な説明】
【００１１】
【図１】デジタルビデオカメラの構成を示すブロック図である。
【図２】画像処理部の内部構成を示すブロック図である。
【図３】撮像装置の処理の流れを表すフローチャートである。
【図４】信号変換処理の流れを表すフローチャートである。
【図５】表示機器の入出力特性を示すグラフである。
【図６】ガンマ特性を示すグラフである。
【発明を実施するための形態】
【００１２】
以下、図面を参照して本発明の実施形態を説明する。
【００１３】
（第１の実施形態）
図１は、本発明の実施形態のデジタルビデオカメラ１００の内部構成を示すブロック図である。
【００１４】
図１において、撮像レンズ１０３はズームレンズ、フォーカスレンズを含むレンズ群であり、被写体像を撮像部２２に結像させる。絞り１０１は光量調整に使用する絞りである。ＮＤ１０４は減光用に使用するＮＤである。
【００１５】
撮像部２２は光学像を電気信号に変換するＣＣＤやＣＭＯＳ素子等で構成される撮像素子である。また、撮像部２２には電子シャッターによる蓄積の制御や、アナログゲイン、読み出し速度の変更などの機能も備える。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルビデオカメラ１００の、撮像レンズ１０３を含む撮像系を覆うことにより、撮像レンズ１０３、絞り１０１、撮像部２２を含む撮像系の汚れや破損を防止する。
【００１６】
画像処理部２４は、Ａ／Ｄ変換器２３からの画像データ、又は、メモリ制御部１５からの画像データに対して色変換処理、ガンマ補正、デジタルゲインの付加等の処理を行う。また、撮像した画像データを用いて所定の演算処理が行われ、演算結果をシステム制御部５０に送信する。送信された演算結果に基づいてシステム制御部５０が露出制御、測距制御をホワイトバランス制御等行う。これにより、ＴＴＬ（スルー・ザ・レンズ）方式のＡＦ（オートフォーカス）処理、ＡＥ（自動露出）処理、ＡＷＢ（オートホワイトバランス）処理等が行われる。画像処理部２４についての詳細は後述する。
【００１７】
Ａ／Ｄ変換器２３から出力される画像データは、画像処理部２４及びメモリ制御部１５を介して、或いは、メモリ制御部１５を介してメモリ３２に直接書き込まれる。メモリ３２は、撮像部２２によって撮像されＡ／Ｄ変換器２３によりデジタルデータに変換された画像データや、表示部２８に表示するための画像データを格納する。メモリ３２は、所定時間の動画像および音声を格納するのに十分な記憶容量を備えている。
【００１８】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。
【００１９】
表示機器としての表示部２８は、ＬＣＤ等の表示デバイス上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行うことができる。
【００２０】
不揮発性メモリ５６は、電気的にデジタルデータ消去・記録可能なメモリであり、例えばＥＥＰＲＯＭが用いられる。不揮発性メモリ５６には、システム制御部５０の動作用の定数、プログラム等が記憶される。ここでいう、プログラムとは、後述する各種フローチャートを実行するためのプログラムを示す。
【００２１】
システム制御部５０は、デジタルビデオカメラ１００全体を制御する。前述した不揮発性メモリ５６に記録されたプログラムを実行することで、ビデオカメラ１００で行われる各処理を実現する。システムメモリ５２は、たとえばＲＡＭであり、システム制御部５０の動作用の定数、変数、不揮発性メモリ５６から読み出したプログラム等を展開する。また、システム制御部５０はメモリ３２、Ｄ／Ａ変換器１３、表示部２８等の各構成を制御することによって表示制御を行うことができる。
【００２２】
システムタイマー５３は、ビデオカメラ１００で行われる各種制御に用いる時間や、内蔵された時計の時間を計測する計時部である。モード切替スイッチ６０、録画スイッチ６１、操作部７０はシステム制御部５０に各種の動作指示を入力するための操作手段である。
【００２３】
モード切替スイッチ６０は、システム制御部５０の動作モードを、動画記録モード、静止画記録モード、再生モード等のいずれかに切り替える。動画記録モードや静止画記録モードに含まれるモードとして、オート撮影モード、オートシーン判別モード、マニュアルモード、撮影シーン別の撮影設定となる各種シーンモード、プログラムＡＥモード、カスタムモード等がある。
【００２４】
モード切替スイッチ６０で、撮影モードに含まれるこれらのモードのいずれかに切り替えることができる。あるいは、モード切替スイッチ６０で動画撮影モードに一旦切り換えた後に、動画撮影モードに含まれるこれらのモードのいずれかに、他の操作部材を用いて切り替えるようにしてもよい。録画スイッチ６１は撮影待機状態と撮影状態を切り替える。システム制御部５０は、録画スイッチ６１により、撮像部２２からの信号読み出しから記録媒体９０への動画データの書き込みまでの一連の動作を開始する。
【００２５】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右４方向の十字キーやＳＥＴボタンを用いて直感的に各種設定を行うことができる。
【００２６】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体９０を含む各部へ供給する。電源部３０は、アルカリ電池やリチウム電池等の一次電池やＮｉＣｄ電池やＮｉＭＨ電池、Ｌｉイオン電池等の二次電池、ＡＣアダプター等からなる。Ｉ／Ｆ１８は、メモリカードやハードディスク等の記録媒体９０、または外部出力機器とのインターフェースである。図では記録媒体９０との接続時の状態を示している。記録媒体９０は、撮影された画像を記録するためのメモリカード等の記録媒体であり、半導体メモリや磁気ディスク等から構成される。
【００２７】
次に、画像処理部２４の内部構成について説明する。図２は画像処理部２４の内部構成を示すブロック図である。
【００２８】
画像処理部２４は、ＷＢの制御やシャープネス制御など行うが、表記を省略している。なお、画像処理部２４の内部の各ブロックは、システム制御部５０を通じて、絞りや、ＮＤ情報、シャッター速度などの撮像時の露出パラメータを含めたデジタルメラ１００のあらゆるデータを取得することが可能である。
【００２９】
図２において、検波部２０１は、Ａ／Ｄ変換器２３からの画像データ、又は、メモリ制御部１５からの画像データに対し検波を行うことによって、画像内の被写体の輝度値として代表値を求める。Ｂｖ算出部２０２は、基準信号、絞り、感度、シャッター値などの露出パラメータと検波部２０１で取得した代表値に基づいて、被写体のＢｖ値（絶対輝度値）を算出する。
【００３０】
絶対輝度コード決定部２０３は、不揮発性メモリ５６またはメモリ制御部１５から表示機器である表示部２８の入出力特性を取得し、表示機器における被写体の表示がＢｖ算出部２０２で算出したＢｖ値（絶対輝度値）となるように、絶対輝度コードを決定する。
【００３１】
表示機器の入出力特性は、予め不揮発性メモリ５６に記録していても良いし、ユーザーからの入力を受けても良いし、接続された表示機器から取得しても良く、取得方法は特に限定しない。
【００３２】
変換係数算出部２０４は、ガンマ補正部２０６からガンマ特性を、絶対輝度コード決定部２０３からは決定した絶対輝度コードをそれぞれ取得し、ガンマ特性と絶対輝度コードから表示機器から絶対輝度で表示するために信号を変換する係数である信号変換係数を算出する。
【００３３】
信号変換部２０５は、Ａ／Ｄ変換器２３からの画像データ、又は、メモリ制御部１５からの画像データに対して変換係数算出部２０４で算出した信号変換係数を用いて信号変換を行う。
【００３４】
ガンマ補正部２０６は、映像の入出力特性いわゆるガンマ特性を変更し、信号変換部２０５で信号変換された画像データに対してガンマ補正を行う。
【００３５】
本実施形態における各処理はシステム制御部５０が不揮発性メモリ５６に格納されたプログラムをシステムメモリ５２に展開して実行することにより実現される。
【００３６】
次に、図３を用いて、デジタルカメラ１００において行われる動作について説明する。図３は本実施形態の撮像装置の撮像処理のフローチャートを示す。
【００３７】
まず、被写体を画角に捉えて撮像部２２で撮像する（Ｓ３０１）。撮像された画像データに対し信号変換処理を行う（Ｓ３０２）。この信号変換処理は、本実施形態の特徴的な処理であり、詳細に後述する。
【００３８】
次に信号変換処理を行われた画像データに対し、画像処理を行う（Ｓ３０３）。ＡＷＢやシャープネス処理などがここで行われる。本実施形態では、画像処理を信号変換処理の後で行う構成であるが、信号変換処理の前に画像処理を行っても良い。次に、画像処理を行った画像データを出力する（Ｓ３０４）。記録媒体９０や外部機器にデータを出力する。
【００３９】
以上が、本実施形態のデジタルカメラ１００の撮像処理である。
【００４０】
次に、図４を用いて、本実施形態の特徴的な処理である信号変換処理について説明する。図４は本実施形態の信号変換処理のフローチャートを示す。
【００４１】
まず、Ａ／Ｄ変換器２３からの画像データ、又は、メモリ制御部１５からの画像データに対し検波部２０１で検波を行う（Ｓ４０１）。検波を行うことによって、画像データの代表値として、画像に含まれる被写体の輝度値を求める。代表値の求め方は、たとえば、画像の中央部分の平均輝度を算出したり、画像から検出された顔などの特定被写体の平均輝度を算出したり、画像の指定された領域の輝度を取得したりする方法などがある。
【００４２】
次に、Ｂｖ算出部２０２は、検波部２０１で算出された代表値から被写体のＢｖ値（絶対輝度値）を算出する（Ｓ４０２）。本実施形態では、Ｂｖ値の算出方法として、たとえば、基準信号、絞り値、ＩＳＯ感度、シャッター値、ＮＤ値などの露出パラメータと、検波部２０１で取得された代表値から求める方法を用いる。
【００４３】
本実施形態で用いるＡＰＥＸ（Ａｄｄｉｔｉｖｅ  Ｓｙｓｔｅｍ  ｏｆ  Ｐｈｏｔｏｇｒａｐｈｉｃ  Ｅｘｐｏｓｕｒｅ）表現における基準信号のＢｖ値、基準Ｂｖ値の求め方は、以下の通りである。
基準Ｂｖ値＝２（Ａｖ＋Ｔｖ−Ｓｖ）×（０．３２×ｋ）［ｃｄ／ｍ２］      （式１）
【００４４】
ここで、（式１）において、Ａｖは絞り値、Ｔｖはシャッター速度、Ｓｖは撮影感度をＡＰＥＸ単位に換算した露出（露出制御値）である。また、ｋは校正係数であって、入力１８％グレーとなるように、ＡＰＥＸ単位で表わされた輝度値を絶対輝度の単位であるｃｄ／ｍ２（又はｎｉｔ）に換算する際に用いられる。本実施形態ではｋ＝１２．５としている。なお、ＡＰＥＸ単位で表わされた輝度値Ｚを絶対輝度値Ｘに換算するには、ｌｏｇ２（Ｘ／０．３２×ｋ）＝Ｚという関係式に基づき、Ｘ＝２Ｚ×（０．３２×ｋ）により求めることが出来る。例えば、Ａｖ＝Ｆ４．０、Ｔｖ＝１／１２８、Ｓｖ＝ＩＳＯ感度２００である場合、（式１）から基準Ｂｖ値が算出される。
基準Ｂｖ値＝（２（４（Ａｖ）＋７（Ｔｖ）−６（Ｓｖ）））×（０．３２×１２．５）
＝１２８［ｃｄ／ｍ２］
【００４５】
このとき、撮像装置のダイナミックレンジを１２００％、基準輝度値の輝度値の上限値に対する割合を２０％、データのｂｉｔ数を１４とすると、
基準信号のコード
＝（２ｂｉｔ数）×（基準輝度値［％］／ダイナミックレンジ［％］）（式２）
上記のように基準信号のコードが求められる。（式２）に対し数値を入れると、
基準信号のコード＝（２１４）×（２０／１２００）
＝２７３
基準信号のコードは２７３と求められる。
【００４６】
ここで、代表値のコードが２１３２の場合、Ｘを代表値のＢｖ値と基準Ｂｖ値との差分とすると、
代表値のコード＝基準信号のコード×（２Ｘ）      （式３）
（式３）に各数値を当てはめると、
２１３２＝２７３×（２Ｘ）
Ｘ＝２．９６
以上より、代表値のＢｖ値は、
代表値のＢｖ値＝２２．９６×１２８［ｃｄ／ｍ２］
＝１０００［ｃｄ／ｍ２］
と求められる。ここに挙げた方法は１つの例であり、他の方法で代表値のＢｖ値を求めてもよい。また、外部センサーなどから取得した信号からＢｖ値を算出するのでも良く、本実施例は算出方法について限定はしない。
【００４７】
次に、表示機器の出力が代表値のＢｖ値となる絶対輝度コードを絶対輝度コード決定部２０３で決定する（Ｓ４０３）。たとえば、表示機器の入出力特性とＳ４０２で算出した代表値のＢｖ値に基づいて算出する方法を示す。
【００４８】
図５に表示機器の入出力特性を示す。図５のような表示機器の入出力特性の場合、出力輝度が代表値のＢｖ値となるような入力コードは一意に決まる。このように絶対輝度コードを表示機器の入出力特性から求めても良いし、入出力特性の式と代表値のＢｖ値から算出しても良いし、入出力関係をテーブルデータとして保持し、その中から代表値のＢｖ値に基づいて選択するのでも良い。
【００４９】
絶対輝度コードを決定したら、変換係数算出部２０４は、その絶対輝度コードを基に、被写体の代表輝度値と絶対輝度コードの対応関係から信号変換係数を算出する（Ｓ４０４）。データが代表値のとき、ガンマ補正部からの出力が絶対輝度コードとなるように信号変換係数を算出する。たとえば、ガンマ補正部からガンマ特性を取得し、そのガンマ特性を基に信号変換係数を算出することが出来る。
【００５０】
図６にガンマ特性を示す。このようなガンマ特性に対し、ガンマ補正後の出力コードが絶対輝度コードとなるような入力コードはＹとなる。ガンマが出力機器の入出力特性に対して逆ガンマの関係であれば、データが代表値のときに出力コードを絶対輝度コードとする信号変換係数は下記の式で求められる。
信号変換係数＝Ｙ／代表値      （式４）
【００５１】
本実施形態では、ガンマ特性が表示機器の入出力特性に対して逆ガンマの特性である場合を示したが、本実施例は必ずしもガンマ特性が逆ガンマの特性を持っていなくても良く、限定はしない。
【００５２】
次に、Ａ／Ｄ変換器２３からの画像データ、又は、メモリ制御部１５からの画像データに対し、信号変換を信号変換部２０５で行う（Ｓ４０５）。変換係数算出部２０４で算出した変換係数を基に信号変換を行う。たとえば、信号変換係数が（式４）で与えられたものの場合、データに対して信号変換係数を乗算することで信号変換を行う。
【００５３】
信号変換の方法は、信号変換係数によって変わり、乗算だけでなく二次関数などの関数によって変換する場合なども有り、本実施例は特に変換方法を限定しない。最後に、信号変換後の画像データに対してガンマ特性の変更をガンマ補正部２０６で行う（Ｓ４０６）。
【００５４】
このように信号変換処理を行うことで、代表値のデータが撮像装置からの出力では絶対輝度コードとなり、出力機器に絶対輝度コードが入ることで、代表値のＢｖ値で出力機器から表示されるようになる。つまり、被写体の絶対輝度で出力機器から出力が出来るようになり、臨場感のある映像にすることが出来る。
【００５５】
（第２の実施形態）
第１の実施形態では、表示機器の入出力特性を考慮して映像信号を変換することによって、表示機器での出力を被写体の絶対輝度にする例を示した。しかしながら、撮像装置によっては、従来のように表示機器などに対して相対輝度で出力させるモードも残しておきたい場合も考えられる。本実施形態は、そのような二つのモードを有する実施形態である。
【００５６】
第１の実施形態で示した構成と同じ構成については、説明を省略する。
【００５７】
本実施形態は、表示機器に被写体が絶対輝度値で表示されるように画像信号を出力するモード（以下、絶対輝度モード）と、表示機器に被写体が相対輝度値で表示されるように画像信号を出力するモード（以下、相対輝度モード）を選択可能に有する。
【００５８】
各モードにおける撮像装置の動作について、絶対輝度モードについては第１の実施形態で示したものと同様である。相対輝度モードについては後述する。図４を用いて、相対輝度モードにおける絶対輝度モードとの動作の差を説明する。
【００５９】
まず検波を行うのは絶対輝度モードと同様である（Ｓ４０１）。代表値の求め方は、絶対輝度モードと同様でも良いし、別の被写体、別の方法でも構わず、特に限定はしない。次に代表値のＢｖ値を算出する（Ｓ４０２）。このＳ４０２のステップは、後段の変換係数算出部でＢｖ値を使用しない場合は省略しても構わない。次の絶対輝度コード決定（Ｓ４０３）は相対輝度モードでは必要ないため省く。
【００６０】
次に、変換係数算出を行う（Ｓ４０４）。相対輝度モードでは、代表値を基に予め決められた目標値に達するための変換係数を算出する。たとえば、代表値が顔の明るさで、目標値が顔の明るさを７０％の明るさで出力する、というような場合を例にする。このとき、ガンマ特性が出力機器の入出力特性の逆ガンマの場合、データのｂｉｔ数１４だとすると式５のように変換係数を算出する。
変換係数＝（７０％＊（２＾１４））／代表値      （式５）
【００６１】
例では目標値が代表値に直接関係するものとしたが、代表値から算出される値、たとえばＢｖ値に関係した目標値でもよく、代表値と目標値の関係は特に限定しない。
【００６２】
次に、Ａ／Ｄ変換器２３からのデータ、又は、メモリ制御部１５からのデータに対し、信号変換を信号変換部２０５で行う（Ｓ４０５）。変換係数算出部２０４で算出した変換係数を基に信号変換を行う。Ｓ４０５は絶対輝度モードと同様である。
【００６３】
このように、相対輝度で出力するモードの場合、絶対輝度で出力するモードと違いがあるのは、絶対輝度コードの決定が無いことと、変換係数算出で絶対輝度コードに基づいて変換係数を算出していない、という点である。絶対輝度モードか、相対輝度モードかによって前記のように動作を変えることにより、絶対輝度での出力、相対輝度での出力の２通りに対応することが可能な撮像装置となる。
【００６４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００６５】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００６６】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００６７】
その場合、プログラムの機能を有していれば、オブジェクトコード、インタプリタにより実行されるプログラム、ＯＳに供給するスクリプトデータ等、プログラムの形態を問わない。
【００６８】
プログラムを供給するための記録媒体としては、例えば、ハードディスク、磁気テープ等の磁気記録媒体、光／光磁気記憶媒体、不揮発性の半導体メモリでもよい。
【００６９】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００７０】
２２  撮像部
２４  画像処理部
２８  表示部
３２  メモリ
５０  システム制御部
５２  システムメモリ
５６  不揮発性メモリ
６０  モード切替スイッチ
６１  録画スイッチ
７０  操作部
１００  デジタルビデオカメラ
１０１  絞り
１０２  バリア
１０３  撮像レンズ
１０４  ＮＤフィルタ
２０１  検波部
２０２  Ｂｖ算出部
２０３  絶対輝度コード決定部
２０４  変換係数算出部
２０５  信号変換部
２０６  ガンマ補正部
【図１】
2018056701.tif 000003
【図２】
2018056701.tif 000004
【図３】
2018056701.tif 000005
【図４】
2018056701.tif 000006
【図５】
2018056701.tif 000007
【図６】
2018056701.tif 000008